(57)【要約】【課題】チエーンとフックの一体形が多くスライドさせて使用させていた、  又着脱が容易でなく、他の紐にフックを取り付ける事が出来なかった。【解決の手段】頭部と胴部と下肢部から成るフック本体に、背板部に沿って縦に掛け紐を通し、胴部の複数の紐巻き付け溝に紐を巻き付けて固定し、  足フック部に対称物品を掛下げして使用される時の紐掛けフック。【選択図】図８
2019005526.tif 000002
【特許請求の範囲】
【請求項１】
フック本体と一本の掛け紐から成り、フック本体は樹脂版で成る細長略直方体型の筒体を、双方に開口した長手を上下に立てた場合に於いて、四方壁の一壁面を背版部と称し、背板部の対抗面が前面を成す面が、全面は開口してあり、背板部に連続する左右の側面を、イナゴの身体になぞらえて、頭部、胴部、下肢部に区分し、そこに紐掛けフックの諸機能を担う構造的所部位を設けて、左右対称に形成してあるが、
側壁面において、
上下に凡そ三等分した上部域を頭部、下部域を下肢部、この間に挟まれ中間域を胴部と称し、
頭部に於いて、額を含む頭頂前端角一帯を成す三角形域の斜辺に沿って左右から内側へ略直交的に折られて、左右対称的に角頂を突き合わせた形になって上部紐出し入れ扉を形成してあり、
後頭頂・即ち背板部上端辺域数ミリ幅を内側へ折られて、紐通路形成片を成し、この紐出し入れ扉と紐通路形成片によって囲まれる形で紐通路頭頂口が形成されており、
側壁面の上端の手前に目の様に貫通孔が設けられて、何かの対象に掛け留めるための系着孔を成し、
頭部と胴の境界域・即ち首部に当たる箇所に、顎部と胴部の前端から背板部の数ミリ手前まで、首の長さ相当の幅で後方へ切り欠かれて喉首部に達する上部紐挿入口が形成され、そこから連続して下方へ数ミリ深さでＶ字溝形に切り欠かれて上部紐巻き付け溝が形成されており、
同様に、胴部と下肢部の境界域も、夫々の前端から斜め下後方へ、
背板部の数ミリ手前まで切欠かれて下部紐挿入口が形成され、そこから連続して上方へＶ字溝形に切り欠かれて下部紐巻き付け溝が形成されており、
下肢部は、側壁面下端の後部角一帯を成す三角形域の斜辺に沿って切り欠かれ、残った三角形域を側壁面に略直交的に左右から内側へ折られて、対称的に角頂を突き合わせた形になって下部紐出し入れ扉を形成してあり、
この下部紐出し入れ扉と下部紐挿入口に挟まれた領域が足フック部を成しており、
背板部下端からはイナゴの産卵管の様に尻尾状の後方裾広がりに、させ補助片が延設して形成されているのであり、
斯様に形成されたフック本体の紐通路頭頂口〜紐通路下肢口に、二つ折り２本状の掛け紐を通し、フック本体頭上で吊掛け、足フック部にあれこれの物品を掛け留めるという形で使用されるということを特徴とする紐掛けフック。
【請求項２】
上部出し入れ扉が、額を含む頭頂前端角一帯の三角形域に替わって、顎前端角一帯の三角形域から形成されることを特徴とする請求項１に記載の紐掛けフック。
【請求項３】
頭部と胴部を分離・装着式に形成され、
胴部側に於いて、
背板部内壁面に沿って同部上端から少し上方に突き出る形で、細長い支軸板を設けて有り、両壁面の分離・挿入軸孔に沿った支軸板の上の位置に分離・装着挿入軸離反防止版を設け、又突き出た領域の先端に紐通路形成片を設け、そして中央部分域に穿孔された小さな分離・装着嵌合孔が設けられており、
頭部側に於いて、左右両壁面の後端部からそれぞれ下方に少し突き出る形で、細長い分離・装着挿入軸を設け、後頭部内壁面に小突起状の上向き鉤形の分離・装着嵌合フックが設けて有り、
頭部と胴部が上下に装着結合される時に、分離装着挿入軸が支軸板の両外側に沿って、側壁内面との間の隙間・即ち分離・装着挿入軸孔に挿入され、且つ分離・装着嵌合フックが分離・装着嵌合孔に嵌り合う、ということを特徴とする請求項１に記載の紐掛けフック。
【発明の詳細な説明】
【技術分野】
【０００１】  フック本体と紐を組み合わせた、紐掛けフックに関する。
【背景の技術】
【０００２】  チエーンにフックを固定的に取り付けスライドさせていた物がよく使用されている。
そして、向こうから組み合わせられることなく、フック単体の物が多くみられる。
【先行技術文献】
【特許文献】
【０００３】
【特許文献１】特開２００７−１６２８４１号公報
【発明の概要】
【発明が解決しようとする課題】
【０００４】  チエーンとフックが分離できず、幾つものフックを取り付ける事が出来なかった。
又装飾性に欠けており、紐などに取り付ける事が出来なかった。
【課題を解決するための手段】
【０００５】  フック本体と一本の掛け紐から成り、フック本体は、樹脂板で成る細長略直方体形の筒体を、双方に開口した長手を上下に立てた場合に於いて、四方壁の一壁面背板部と称し、背板部の対抗面が前面を成すが、前面は開口してあり、背板部に連続する左右の側壁面を、イナゴの体になぞらえて、頭部、胴部、下肢部に区分し、そこに紐掛けフックの諸機能を担う構造的所部位を設けて、左右対称に形成してある。
側壁面において、上下に凡そ三等分した上部域を頭部、下部域を下肢部、この間に挟まれた中間域を胴部と称する。
頭部に於いて、額を含む頭頂前端角一帯を成す三角形域の斜辺に沿って左右から内側へ略直交的に折られて、対称的に角頂を突き合わせた形になって上部紐出し入れ扉を形成してあり、後頭頂・即ち背板部上端辺域数ミリ幅を内側に折られて、紐通路形成片を成し、この紐出し入れ扉と紐通路形成片に囲まれる形で紐通路頭頂口が形成されており、側壁面の上端の手前に目の様に貫通孔が設けられて、何かの対象に掛け留めるための系着孔を成し、
頭部と胴体の境界域・即ち首部に当たる箇所に、顎部と胸部の前端から背板部の数ミリ手前まで、首の長さ相当の幅で後方へ切り欠かれて喉首部に達する上部紐挿入口が形成され、そこから連続して下方へ数ミリ深さでＶ字溝形に切り欠かれて上部紐巻き付け溝が形成されており、
同様に、胴部と下肢部の境界域も、夫々の前端から斜め下後方へ、背板部の数ミリ手前まで切欠かれて下部紐挿入口が形成され、そこから連続して上方へＶ字溝形に切り欠かれて下部紐巻き付け溝が形成されており、
下肢部は、側壁面下端の後部角一帯を成す三角形域の斜辺に沿って切り欠かれ、残った三角形域を側壁面に略直交的に左右から内側へ折られて、対称的に角頂を突き合わせた形になって下部紐出し入れ扉を形成してあり、
この下部紐出し入れ扉と下部紐挿入口に挟まれた領域が足フック部を成しており、背板部下端からはイナゴの産卵管の様に尻尾状の後方裾広がり、させ補助片が延設してあり、このさせ補助片と下部紐出し入れ扉によって囲まれる形で紐通路下肢口が形成されている。
斯様に形成されたフック本体の紐通路頭頂口〜紐通路下肢口に、二つ折り２本状の掛け紐を通し、フック本体頭上で吊り掛け、足フック部にあれこれの物品を掛け留めるという形で使用され、
請求項２に於いて、請求項１の頭頂前端角一帯の上部紐出し入れ扉を、請求項２の  顎前端角一帯に変える事により、頭部全体を変えられる。
請求項３に於いて、頭部と胴部の分離・装着式により、頭部、胴部の種類を容易に変える事が出来る。
以上を特徴とする紐掛けフックである。
【発明の効果】
【０００６】  従来は鎖の様なものにフックを固定的に取り付けスライドさせていた、又単品のフックが多く、紐などにフックを取り付ける事が難しかった。
よって本発明は、フック本体とフックを一体型にして、フック本体紐巻き付け溝に紐を巻き付け、フック本体に有る足フックに物品を掛けて使用する物である。
安価で着脱が容易であり、一本の紐に何個もフック本体を取り付ける事が出来、装飾性に富み、又両側の系着孔に、フック、紐などを通しストラップとしても良い。細長略直方体形の筒体に、系着孔、上下対称なる紐巻き付け溝、足フックを配した紐掛けフックであり、
請求項１の上部紐出し入れ扉を、請求項２の顎部に上部紐出し入れ扉を置き換えることで、頭部の形を変える範囲が広がる。
請求項３に於いて、胴部と頭部を切り離し着脱が容易で、胴部に影響を与えず、頭部の種類を変える事が出来る。
【図面の簡単な説明】
【０００７】
【図１】  本発明の一部であるフック本体の展開面図
【図２】  本発明の一部であるフック本体における請求項２に示される実施例の展開図
【図３】  本発明の一部であるフック本体における請求項３に示される分離実施例の展開図
【図４】  本発明をストラップとして使用する実施例を示す斜視図
【図５】  本発明の一部であるフック本体の正面図
【図６】  本発明の一部である請求項３に示される頭部の分離された常態における側面図
【図７】  本発明のフック本体を紐に掛け、複数連結して使用する、実施例の正面図
【図８】  本発明の使用している状態を示す斜視図
【発明を実施するための形態】
【０００８】  以下、本発明の実施の形態を説明する。
フック本体（１）と一本の掛け紐（２）から成り、フック本体（１）は、樹脂版で成る細長略直方体型の筒体を、双方に開口した長手を上下に立てた場合に於いて、四方壁の一壁面を背板部（６）と称し、背板部（６）の対抗面が前面を成すが、前面は開口してあり、背板部（６）に連続する左右の側壁面を、イナゴの身体になぞらえて、頭部（３）、胴部（４）、下肢部（５）に区分し、そこにフック本体（１）の諸機能を担う構造的諸部位を設けて、左右対称に形成してある。
側壁面において、上下に凡そ三等分した上部域を頭部（３）、下肢部域を下肢部（５）、この間に挟まれた中間域を胴部（４）と称する。
頭部（３）に於いて、額を含む頭頂前端角一帯を成す三角形域の斜辺に沿って左右から内側へ略直交的に折られて、対称的に角頂を突き合わせた形になって上部紐出し入れ扉（１３）を形成してあり、後頭頂、即ち背板部（６）上端辺域数ミリ幅を内側へ折られて、紐通路形成片（１２）を成し、
この上部紐出し入れ扉（１３）と紐通路形成片（１２）によって囲まれる形で紐通路頭頂口（１０）が形成されており、側壁面の上端の手前に目のように貫通孔が設けられて、何かの対象に掛け留めるための系着孔（７）を成し、
頭部（３）と胴部（４）の境界域・即ち首部に当たる箇所に、顎部と胸部の前端から背板部（６）の数ミリ手前まで、首の長さ相当の幅で後方へ切り欠かれて喉首部に達する上部紐挿入口（１５）が形成され、そこから連続して下方へ数ミリ深さでＶ字溝形に切り欠かれて上部紐巻き付け溝（１７）が形成されており、
同様に、胴部（４）と下肢部（５）の境界域も、夫々の前端から斜め後方へ、背板版（６）の数ミリ手前まで切り欠かれて下部紐挿入口（１６）が形成され、そこから連続して上方へＶ字溝形に切り欠かれて下部紐巻き付け溝（１８）が形成されており、
下肢部（５）は、側壁面下後部角一帯を成す三角形域の斜辺に沿って切り欠かれ、残った三角形域を側壁面に略直交的に左右から内側へ折られて、対称的に角頂を突き合わせた形になって下部紐出し入れ扉（１４）を形成してあり、この下部紐出し入れ扉（１４）と下部紐挿入口（１６）に挟まれた領域が足フック部（９）を成しており、背板部（６）下端からはイナゴの産卵管の様に尻尾状の後方裾広がりに、させ補助片（８）が延設してあり、このさせ補助片（８）と下部紐出し入れ扉（１４）によって囲まれる形で紐通路下肢口（１１）が形成されている。
斯様に形成されたフック本体（１）の紐通路頭頂口（１０）〜紐通路下肢口（（１１）に、二つ折り２本状の掛け紐（２）を通し、フック本体（１）頭上で吊り掛け、足フック部（９）にあれこれの物品を掛け留めるという形で使用される。
又請求項１の上部紐出し入れ扉（１３）の有る、顎より上の部位を変える場合に、請求項２の上部紐出し入れ扉（１３）に変える事も有りうる。
請求項３に於いて、頭部（３）と胴部（４）を切り離し、頭部（３）に有る請求項１、請求項２の紐通路形成片（１２）を取り除き、頭部（３）中心に、分離・装着嵌合フック（２１）を設け、
顎両側より分離・装着挿入軸（２２）を突き出し、胴部（４）顎近く、分離・装着嵌合孔（２０）を両壁面内側に設け、紐通路形成片（１２）と分離・装着嵌合孔（２０）又、分離装着挿入軸離反防止版（２５）を設けた支軸板（１９）より成る。
本発明は、以上の様な構成であり、以下具体的な実施の形態と使用法を説名する。
壁などの高所にあるバーやフックなどに、２つ折りにした掛け紐（２）を本体（１）の紐通路頭頂口（１０）より挿入、
両側の胴部（４）に有る下部紐巻き付け溝（１８）より  上部紐巻き付け溝（１７）に掛け紐（２）を掛け、紐通路下肢口（１１）を通る。
又一方の掛け紐（２）を長くする事により、何個でも本体（１）を取り付ける事が出来、足フック（９）に物品を掛け使用する事が出来、
頭部（３）に有る系着孔（７）に紐又はフックなどを取り付ける事により、ストラップにもなる。
そして請求項２により、請求項１の上部紐出し入れ扉（１３）の移動により、頭部（３）の種類を変える事が豊富になり、
又請求項３のフック本体（１）の胴部（４）に取り付けたる支軸板（１９）を頭部（３）に装着。
胴部（４）の分離・装着挿入軸孔（２３）に顎部より突き出したる分離・装着挿入軸（２２）を挿入し、頭部（３）に有る分離・装着嵌合フック（２１）を支軸板（１９）に有る分離・装着嵌合孔（２０）に装着し止める。
そして分離・装着嵌合孔（２０）を手前に引き、分離・装着嵌合フック（２１）を外し、頭部（３）と胴部（４）を、切り離す事が出来る。
【符号の説明】
【０００９】１    フック本体，    ２  掛け紐，    ３  頭部，    ４  胴部，
５    下肢部，        ６  背板部，    ７  系着孔，  ８  させ補助片，
９    足フック部，    １０  紐通路頭頂口，    １１  紐通路下肢口，
１２  紐通路形成片，    １３  上部紐出し入れ扉，
１４  下部紐出し入れ扉，    １５  上部紐挿入口，    １６  下部紐挿入口，
１７  上部紐巻き付け溝，    １８  下部紐巻き付け溝，  １９  支軸板，
２０  分離・装着嵌合孔，    ２１  分離・装着嵌合フック，
２２  分離・装着挿入軸，    ２３  分離・装着挿入軸孔，
２４  物品，                ２５  分離・装着挿入軸離反防止版，
【図１】
2019005526.tif 000003
【図２】
2019005526.tif 000004
【図３】
2019005526.tif 000005
【図４】
2019005526.tif 000006
【図５】
2019005526.tif 000007
【図６】
2019005526.tif 000008
【図７】
2019005526.tif 000009
【図８】
2019005526.tif 000010